(57)【要約】【課題】畦の曲がりやうねりに柔軟に対応することが可能であるとともに、長期に亙って畦を保持することができる人工畦を提供する。【解決手段】畦Ａの上部Ｂに設置される上板１と、上板１の側縁部に上縁部が連結されて畦Ａの側面Ｃに敷設される側板２とを備え、側板２には上下方向に延びる切れ目２Ｃが形成されていて、畦Ａの側面Ｃの湾曲に合わせて側板２を湾曲させて敷設可能とする。【選択図】図１
2011026862.tif 000002
【特許請求の範囲】
【請求項１】
畦の上部に設置される上板と、前記上板の側縁部に上縁部が連結されて前記畦の側面に敷設される側板とを備え、前記側板には上下方向に延びる切れ目が形成されていて、前記畦の側面の湾曲に合わせて前記側板を湾曲させて敷設可能とされていることを特徴とする人工畦。
【請求項２】
前記上板の側縁部と前記側板の上縁部とは、一方の縁部に沿って形成された断面円弧状の連結部が、他方の縁部に沿って形成された外形が断面円形または円弧状をなす被連結部の外周に被せられて連結されていて、前記畦の上部に対する側面の角度に合わせて前記側板を角度調節して敷設可能とされていることを特徴とする請求項１に記載の人工畦。
【請求項３】
複数の前記側板が上下方向に連結可能とされていることを特徴とする請求項１または請求項２に記載の人工畦。
【発明の詳細な説明】
【技術分野】
【０００１】
本発明は、水田等の畦の表面に敷設されて、ケラやモグラの出没による水田の水漏れや雑草の繁茂を防いで畦を保持する人工畦に関するものである。
【背景技術】
【０００２】
このような人工畦として、例えば特許文献１には、プラスチック等でプレキャスト成型されたユニットで上端部、下端部及び左端部、右端部の各端部全域に各々異なった噛み合わせ接続部と、内側に表面補強仕切を複数個所縦横に設けたユニットに、浮き止めアンカーを打ち込み、固着するようにしたものが提案されている。また、特許文献２、３には、人工畦を硬質ゴムや軟質塩化ビニールシートで形成したものが提案されている。
【先行技術文献】
【特許文献】
【０００３】
【特許文献１】実開平５−３０２０６号公報
【特許文献２】特開平１１−４６５０２号公報
【特許文献３】特開２０００−２７１６７号公報
【発明の概要】
【発明が解決しようとする課題】
【０００４】
ところが、畦は一直線であるとは限らず、地形に合わせて様々な角度に曲がっていたりうねっていたりすることが多い。特許文献１に記載の人工畦では、上述のようにユニットがプラスチック等でプレキャスト成型されているため、このような畦の曲がりやうねりに柔軟に対応することができない。また、特許文献２、３に記載の硬質ゴムや軟質塩化ビニールシートで形成された人工畦は、畦の上部と側面とを一体に覆うような断面台形状とされているため、ゴムやビニールの厚さが厚いとやはり畦の曲がりやうねりに対応することができず、厚さが薄いと容易に破れてしまって畦を保持することができない。
【０００５】
本発明は、このような背景の下になされたもので、畦の曲がりやうねりに柔軟に対応することが可能であるとともに、長期に亙って畦を保持することができる人工畦を提供することを目的としている。
【課題を解決するための手段】
【０００６】
上記課題を解決して、このような目的を達成するために、本発明は、畦の上部に設置される上板と、前記上板の側縁部に上縁部が連結されて前記畦の側面に敷設される側板とを備え、前記側板には上下方向に延びる切れ目が形成されていて、前記畦の側面の湾曲に合わせて前記側板を湾曲させて敷設可能とされていることを特徴とする。従って、このような人工畦では、畦の上部に設置される上板と側面に敷設される側板とが別体である上、側板に切れ目が形成されていて、畦の側面の湾曲に合わせて側板を湾曲させて敷設できるので、側板が厚さの厚いゴムなどで形成されていても、畦の曲がりやうねりに柔軟に対応することが可能となる。
【０００７】
また、前記上板の側縁部と前記側板の上縁部との連結部分については、一方の縁部に沿って形成された断面円弧状の連結部が、他方の縁部に沿って形成された外形が断面円形または円弧状をなす被連結部の外周に被せられて連結されていて、前記畦の上部に対する側面の角度に合わせて前記側板を角度調節して敷設可能とされた構成とすることにより、畦の側面の傾斜の変化にも対応することができる。さらに、複数の前記側板が上下方向に連結可能とされていれば、畦の上部から底部までの高低差がある場合でも対応することが可能となる。
【発明の効果】
【０００８】
このように、本発明によれば、上板と側板に十分な厚さを確保して長期に亙って畦を保持することを可能としながらも、畦の曲がりやうねりに柔軟に対応して側板を湾曲させつつ畦の側面に敷設して、ケラやモグラ等の出没による水田からの水漏れや雑草の繁茂などを確実に防止することができる。
【図面の簡単な説明】
【０００９】
【図１】本発明の一実施形態の人工畦を敷設した畦の縦断面図である。
【図２】図１に示す実施形態の人工畦の上板を示す（ａ）側面図、（ｂ）平面図である。
【図３】図１に示す実施形態の人工畦の側板を示す（ａ）表側から見た正面図、（ｂ）側面図、（ｃ）裏側から見た背面図である。
【図４】図１に示す実施形態において側板同士の連結部分を示す（ａ）連結前の断面図、（ｂ）連結後の断面図である。
【図５】図１に示す実施形態の変形例を示す畦の断面図である。
【図６】図１に示す実施形態の他の変形例を示す畦の断面図である。
【発明を実施するための形態】
【００１０】
図１ないし図４は、本発明の一実施形態を示すものである。本実施形態の人工畦は、畦Ａの上部Ｂに設置される上板１と、この畦Ａの側面Ｃに敷設される側板２とから成り、側板２はその上縁部が上板１の側縁部に連結されて、これら上板１と側板２が一体的に畦Ａの表面を覆うように構成されている。なお、これら上板１と側板２、さらに後述する連結部材３は、例えば自動車の古タイヤなどを再加工したゴムにより形成されている。
【００１１】
上板１は、図２（ｂ）に示すように側板２と連結される前記側縁部を除いた部分が網状に形成された長方形平板状をなしていて、畦Ａの上部Ｂに例えば２０ｍｍ程度の厚さでコンクリート打ちされた上に配設され、さらにその上に同じく例えば２０ｍｍ程度の厚さでコンクリート打ちされることにより、コンクリートＤによって挟み込まれるようにして設置される。また、この上板１の側縁部は、図２（ａ）に示すように上向きに延びた後に半円筒状をなして畦Ａの外側に向け下向きに湾曲する断面逆Ｊ字状をなしていて、この側縁部が上板１側の連結部１Ａとされる。
【００１２】
また、側板２も、厚さ５ｍｍ〜１０ｍｍ程度、幅と長さは２００ｍｍ〜１０００ｍｍ程度の規格寸法、または１０００ｍｍ〜３０００ｍｍ程度を基準とした別注加工した長方形平板状をなしていて、その上縁部は、上板１の連結部１Ａがなす円筒状の部分の内側に嵌合可能な直径の円柱状をなすように延びていて、この側板２側の被連結部２Ａとされている。なお、この被連結部２Ａが形成された上縁部とは反対側の側板２の下縁部は、先端側（下側）に向かうに従い先細りとなる断面三角形状とされている。また、これら上下縁部を除く残りの２つの側縁部には、断面ダブテール（アリ）形状をなす側縁連結部２Ｂが形成されている。
【００１３】
そして、本実施形態では、この側板２において上記畦Ａの側面Ｃに対向する裏面に、上下方向に延びる切れ目２Ｃが形成されている。この切れ目２Ｃは、側板２の表面には達しない程度の深さと、ある程度の幅とをもって形成された断面コ字状をなすものであり、側縁連結部２Ｂが形成された側板２の側縁部に平行に、この側板２上縁部の前記被連結部２Ａを除いた部分から下縁部の前記断面三角形状の部分を除いた部分までの裏面全体に延びるように、また上下縁部に沿った方向には複数の切れ目２Ｃが互いに平行に等間隔をあけるようにして形成されている。
【００１４】
なお、側板２の裏面には、これら複数の切れ目２Ｃの間に突起２Ｄが突設されている。この突起２Ｄは、側板２裏面から突出するに従い断面積が大きくなるようにされた四角錐状をなしており、同形同大の複数ずつの突起２Ｄが、隣接する切れ目２Ｃの間の中央部に上下方向に沿って等間隔に列をなすように形成されている。なお、側板２の表面は、平坦面とされている。
【００１５】
このような側板２も、畦Ａの側面Ｃが例えば２０ｍｍ程度の厚さでコンクリート打ちされた上で、このコンクリートＤに前記突起２Ｅを埋没させるようにして該コンクリートＤが固化することにより、側面Ｃ上に敷設される。また、このとき側板２の上縁部の被連結部２Ａは、上板１側縁部の連結部１Ａの前記円筒状部分の内側に収容されてこれら連結部１Ａと被連結部２Ａが連結される。さらに、側板２の断面三角形状をなす下縁部は、水田の底等の地盤に３０ｍｍ以上差し込まれる。
【００１６】
このようにして人工畦の上板１および側板２により畦Ａが覆われることにより、モグラやケラが出入りして畦Ａに穴があくことにより水田から水漏れが生じたり、畦Ａに雑草が繁茂して草刈りや害虫の駆除等に多くの時間や労力を費やしたりするのを防ぐことができる。なお、コンクリートＤによって覆われる畦Ａの上部Ｂは畦道として利用される。
【００１７】
そして、上板１と側板２とが別体であるとっともに、このうち前記側板２には上述のように切れ目２Ｃが形成されているので、この側板２は、上述のような厚さが確保されていても、その上下縁部が延びる方向に向けてある程度湾曲させて畦Ａの側面Ｃに敷設することが可能となる。このため、側板２の強度を維持してその破損などを防ぐとともに、この畦Ａが一直線ではなく曲がっていたりうねっていたりしても、これに合わせて側板２も湾曲させて敷設して側面Ｃを確実に保護することができ、これらによって畦Ａを長期に亙って保持することができる。
【００１８】
また、本実施形態では、上板１の側縁部に断面円弧状をなす円筒形の連結部１Ａが形成されるとともに、側板２の上縁部には、断面円形をなす円柱状の被連結部２Ａが形成されていて、この被連結部２Ａの外周に連結部１Ａが被せられるようにして連結されている。このため、上板１に対する側板２の角度は、被連結部２Ａを連結部１内で回転させることで、連結状態を維持したまま調整可能となるので、畦Ａが曲がったりうねったりしているだけでなく、畦Ａの上部Ｂに対する側面Ｃの角度が部分的に変化していたりしても、本実施形態の人工畦ではこれに柔軟に対応して、隙間なく畦Ａの表面を覆うことができる。
【００１９】
なお、これら連結部と被連結部は、上板１の側縁部に断面円形の被連結部が形成されるとともに、側板２の上縁部には断面円弧状の連結部が形成されていて、この連結部が被連結部の外周に被せられるようにして両者が連結されていてもよい。また、連結部が外周に被せられて連結可能であれば、被連結部も半円筒のような断面円弧状、または中空の円筒状とされていてもよい。
【００２０】
さらに、本実施形態ではこれら上板１や側板２が古タイヤなどを再加工したゴムによって形成されているので、人工畦を低コストで提供することができるとともに、弾力性があって危険も少なく、また腐敗や敷設後の農耕機具などによる破損、変形を抑えることができる。ただし、表面が露出する側板２については、太陽熱による変形が生じるおそれがあるので、内部に鋼線や銅線を入れて変形を抑えるようにしてもよい。
【００２１】
なお、側板２を畦Ａに沿って延長するには、図４に示すようにこの側板２の側縁部に形成された上記側縁連結部２Ｂが嵌合可能なアリ溝３Ａを両側面に有する連結部材３を介して、複数の側板２を順次連結してゆけばよい。また、例えば図５に示すように畦Ａの内側と外側とで水田に高低差がある場合などには、側板２の下縁部にも側縁部と同様の連結部を形成して、図４に示したのと同様に連結部材３を介して複数の側板２を上下方向にも連結可能とすることにより、このような高低差にも柔軟に対応することが可能となる。
【００２２】
さらに、こうして上下方向に複数の側板２を連結する場合には、図６に示すように畦Ａの側面Ｃに段差Ｅを形成するとともに、上下に複数連結される側板２の途中で、畦Ａの上部Ｂに配置されるのと同じように水平に延びる上板１をこの段差Ｅに設置してコンクリートＤにより挟み込むようにし、歩道を形成するようにしてもよい。
【符号の説明】
【００２３】
１  上板
１Ａ  連結部
２  側板
２Ａ  被連結部
２Ｂ  側縁連結部
２Ｃ  切れ目
２Ｄ  突起
３  連結部材
３Ａ  アリ溝
Ａ  畦
Ｂ  畦Ａの上部
Ｃ  畦Ａの側面
Ｄ  コンクリート
Ｅ  段差
【図１】
2011026862.tif 000003
【図２】
2011026862.tif 000004
【図３】
2011026862.tif 000005
【図４】
2011026862.tif 000006
【図５】
2011026862.tif 000007
【図６】
2011026862.tif 000008